(57)【要約】  注射器（１０Ａ）は、バレル（１２）と、バレル（１２）から突出した穿刺針（１４）と、バレル（１２）に対して軸方向に相対変位可能であり、穿刺対象への穿刺針（１４）の穿刺後において針先（１５）を覆うカバー部材（２８）を有する保護装置（２０）とを備える。カバー部材（２８）の先端部には、周方向に延在し、カバー部材（２８）が穿刺対象に対して斜めに当接したときに穿刺対象に対する滑りを抑制する滑り抑制部（３０）が設けられている。滑り抑制部（３０）は、例えば、突起構造（３２）からなる。
2017170502.tif 000002
【特許請求の範囲】
【請求項１】
バレル（１２）と、
前記バレル（１２）の先端部から先端方向に突出し、先端に針先（１５）を有する穿刺針（１４）と、
前記バレル（１２）に対して軸方向に相対変位可能な中空筒状のカバー部材（２８、２８ａ）を有し、初期状態で前記カバー部材（２８、２８ａ）が前記穿刺針（１４）の少なくとも一部を覆い、穿刺対象への前記穿刺針（１４）の穿刺時に前記穿刺対象に対して押しつけられることで前記カバー部材（２８、２８ａ）が前記バレル（１２）に対して基端方向に相対変位し、前記穿刺対象への前記穿刺針（１４）の穿刺後に前記カバー部材（２８、２８ａ）により前記針先（１５）を覆うように構成された保護装置（２０）と、を備え、
前記カバー部材（２８、２８ａ）の先端部には、周方向に延在し、前記カバー部材（２８、２８ａ）が前記穿刺対象に対して斜めに当接したときに前記穿刺対象に対する滑りを抑制する滑り抑制部（３０）が設けられている、
ことを特徴とする注射器（１０Ａ〜１０Ｆ）。
【請求項２】
請求項１記載の注射器（１０Ａ〜１０Ｆ）において、
前記滑り抑制部（３０）は、環状に形成されている、
ことを特徴とする注射器（１０Ａ〜１０Ｆ）。
【請求項３】
請求項１又は２記載の注射器（１０Ａ、１０Ｂ）において、
前記滑り抑制部（３０）は、前記カバー部材（２８）から径方向外側に突出した突起構造（３２、４０）を有する、
ことを特徴とする注射器（１０Ａ、１０Ｂ）。
【請求項４】
請求項３記載の注射器（１０Ａ、１０Ｂ）において、
前記突起構造（３２、４０）は、前記カバー部材（２８）の外周面から突出している、
ことを特徴とする注射器（１０Ａ、１０Ｂ）。
【請求項５】
請求項４記載の注射器（１０Ｂ）において、
前記突起構造（４０）は、軸方向に並んだ複数の突起（４２、４４、４６）を有する
ことを特徴とする注射器（１０Ｂ）。
【請求項６】
請求項５記載の注射器（１０Ｂ）において、
前記複数の突起（４２、４４、４６）において隣り合う突起は、先端側の突起よりも基端側の突起の方が径方向外側に突出している、
ことを特徴とする注射器（１０Ｂ）。
【請求項７】
請求項３〜６のいずれか１項に記載の注射器（１０Ａ、１０Ｂ）において、
前記突起構造（３２、４０）は、軸方向に対して垂直な先端面（３３、４２ａ）を有する、
ことを特徴とする注射器（１０Ａ、１０Ｂ）。
【請求項８】
請求項３〜７のいずれか１項に記載の注射器（１０Ａ、１０Ｂ）において、
前記カバー部材（２８）は、前記突起構造（３２、４０）よりも先端側に、先端方向に向かう従って外径が減少する湾曲面（３５）を有する
ことを特徴とする注射器（１０Ａ、１０Ｂ）。
【請求項９】
請求項１又は２記載の注射器（１０Ｃ〜１０Ｆ）において、
前記カバー部材（２８ａ）は、カバー部材本体（４８）と、前記カバー部材本体（４８）の先端部に固定された前記滑り抑制部（３０）とを有し、
前記滑り抑制部（３０）は、弾性材料により構成された弾性部材（５２ａ〜５２ｄ）である、
ことを特徴とする注射器（１０Ｃ〜１０Ｆ）。
【請求項１０】
請求項９記載の注射器（１０Ｃ）において、
前記弾性部材（５２ａ）は、前記カバー部材本体（４８）の先端面に固定されている、
ことを特徴とする注射器（１０Ｃ）。
【請求項１１】
請求項９記載の注射器（１０Ｄ）において、
前記弾性部材（５２ｂ）は、前記カバー部材本体（４８）の前記先端部を外周面から先端面に亘って覆っている、
ことを特徴とする注射器（１０Ｄ）。
【請求項１２】
請求項９記載の注射器（１０Ｅ）において、
前記弾性部材（５２ｃ）は、前記カバー部材本体（４８）の先端内周部に設けられた凸部（６４）と係合する凹部（６６）を有し、前記カバー部材本体（４８）の先端部内側に嵌合している、
ことを特徴とする注射器（１０Ｅ）。
【請求項１３】
請求項９記載の注射器（１０Ｆ）において、
前記弾性部材（５２ｄ）は、前記カバー部材本体（４８）の先端部に設けられた溝部（６８）に嵌合し、前記先端部の外周面から突出している、
ことを特徴とする注射器（１０Ｆ）。
【請求項１４】
請求項１〜１３のいずれか１項に記載の注射器（１０Ａ〜１０Ｆ）において、
前記バレル（１２）内に摺動可能に挿入されたガスケット（１６）と、
前記ガスケット（１６）に連結され又は前記ガスケット（１６）に連結可能な押し子（１８）と、
前記バレル（１２）と前記ガスケット（１６）とにより形成される液室に充填された薬液と、を備える、
ことを特徴とする注射器（１０Ａ〜１０Ｆ）。
【発明の詳細な説明】
【技術分野】
【０００１】
本発明は、保護装置を備えた注射器に関する。
【背景技術】
【０００２】
患者への薬液等の投与のために使用される注射器においては、穿刺前後に穿刺針の露出による不用意な穿刺を防止するための保護装置を備えたものが知られている（例えば、特表２０１１−５１３０３５号公報を参照）。このような保護装置は、注射器のバレルに対して軸方向に相対変位可能なカバー部材を有する。穿刺前においてカバー部材は穿刺針の針先を覆っている。カバー部材は、穿刺針の皮膚への穿刺に伴って皮膚に押されることでバレルに対して基端方向に変位する。
【発明の概要】
【０００３】
保護装置を備えた注射器を用いて患者に薬液等を投与する際、医師等のユーザは、ユーザの好み等により、皮膚に対して斜めに穿刺針を穿刺する場合がある。このような場合、カバー部材の先端部は、穿刺針が皮膚に穿刺される前に、皮膚に対して斜めに当接することになるため、カバー部材が皮膚に対して滑りやすい。従って、狙った部位に穿刺針を穿刺しにくい場合がある。
【０００４】
本発明はこのような課題を考慮してなされたものであり、皮膚に対して斜めに穿刺針を穿刺するときに、カバー部材が皮膚に対して滑ることを抑制することができる注射器を提供することを目的とする。
【０００５】
上記の目的を達成するため、本発明の注射器は、バレルと、前記バレルの先端部から先端方向に突出し、先端に針先を有する穿刺針と、前記バレルに対して軸方向に相対変位可能な中空筒状のカバー部材を有し、初期状態で前記カバー部材が前記穿刺針の少なくとも一部を覆い、穿刺対象への前記穿刺針の穿刺時に前記穿刺対象に対して押しつけられることで前記カバー部材が前記バレルに対して基端方向に相対変位し、前記穿刺対象への前記穿刺針の穿刺後に前記カバー部材により前記針先を覆うように構成された保護装置と、を備え、前記カバー部材の先端部には、周方向に延在し、前記カバー部材が前記穿刺対象に対して斜めに当接したときに前記穿刺対象に対する滑りを抑制する滑り抑制部が設けられていることを特徴とする。
【０００６】
上記の構成を採用した本発明の注射器によれば、カバー部材の先端部に滑り抑制部が設けられているため、穿刺対象に対してカバー部材を斜めに当接させた場合でも、カバー部材が穿刺対象に対して滑ることを効果的に抑制することができる。
【０００７】
上記の注射器において、前記滑り抑制部は、環状に形成されていてもよい。
【０００８】
この構成により、穿刺対象に対するカバー部材の周方向位置に関わらず、滑り抑制効果を発揮することができる。
【０００９】
上記の注射器において、前記滑り抑制部は、前記カバー部材から径方向外側に突出した突起構造を有してもよい。
【００１０】
この構成により、穿刺対象との接触時に突起構造が穿刺対象に食い込むことにより、簡易構成で滑り抑制機能が得られる。
【００１１】
上記の注射器において、前記突起構造は、前記カバー部材の外周面から突出していてもよい。
【００１２】
この構成により、滑り抑制機能を一層効果的に発揮することができる。
【００１３】
上記の注射器において、前記突起構造は、軸方向に並んだ複数の突起を有していてもよい。
【００１４】
この構成により、一層良好な滑り抑制機能が得られる。
【００１５】
上記の注射器において、前記複数の突起において隣り合う突起は、先端側の突起よりも基端側の突起の方が径方向外側に突出していてもよい。
【００１６】
この構成により、隣り合う突起における基端側の突起についても穿刺対象に食い込ませ、滑り抑制機能を確実に発揮することができる。
【００１７】
上記の注射器において、前記突起構造は、軸方向に対して垂直な先端面を有していてもよい。
【００１８】
この構成により、良好な滑り抑制機能が得られる。
【００１９】
上記の注射器において、前記カバー部材は、前記突起構造よりも先端側に、先端方向に向かう従って外径が減少する湾曲面を有していてもよい。
【００２０】
この構成により、穿刺対象に対する接触時の刺激を抑制しつつ滑りを抑制することができる。
【００２１】
上記の注射器において、前記カバー部材は、カバー部材本体と、前記カバー部材本体の先端部に固定された前記滑り抑制部とを有し、前記滑り抑制部は、弾性材料により構成された弾性部材であってもよい。
【００２２】
これにより、穿刺対象に対する接触時の刺激を抑制しつつ良好な滑り抑制機能が得られる。
【００２３】
上記の注射器において、前記弾性部材は、前記カバー部材本体の先端面に固定されていてもよい。
【００２４】
これにより、カバー部材本体の先端部に弾性部材を簡単に設けることができる。
【００２５】
上記の注射器において、前記弾性部材は、前記カバー部材本体の前記先端部を外周面から先端面に亘って覆っていてもよい。
【００２６】
この構成により、穿刺対象に対する穿刺針の穿刺角度に関わらず、滑りを効果的に抑制することができる。
【００２７】
上記の注射器において、前記弾性部材は、前記カバー部材本体の先端内周部に設けられた凸部と係合する凹部を有し、前記カバー部材本体の先端部内側に嵌合していてもよい。
【００２８】
この構成により、組立工程において、弾性部材をカバー部材本体に対して容易に組み付けることができる。
【００２９】
上記の注射器において、前記弾性部材は、前記カバー部材本体の先端部に設けられた溝部に嵌合し、前記先端部の外周面から突出していてもよい。
【００３０】
この構成により、弾性部材の材料使用量を抑制できるともに、組立工程において、弾性部材をカバー部材本体に対して容易に組み付けることができる。
【００３１】
上記の注射器において、前記バレル内に摺動可能に挿入されたガスケットと、前記ガスケットに連結され又は前記ガスケットに連結可能な押し子と、前記バレルと前記ガスケットとにより形成される液室に充填された薬液と、を備えてもよい。
【００３２】
本発明の注射器によれば、皮膚に対して斜めに穿刺針を穿刺するときに、カバー部材が皮膚に対して滑ることを抑制することができる。
【図面の簡単な説明】
【００３３】
【図１】第１実施形態に係る注射器の全体斜視図である。
【図２】第１実施形態に係る注射器の先端部の断面図である。
【図３】第１実施形態に係る注射器の作用を説明する第１の図である。
【図４】第１実施形態に係る注射器の作用を説明する第２の図である。
【図５】第２実施形態に係る注射器の先端部の断面図である。
【図６】第３実施形態に係る注射器の先端部の断面図である。
【図７】第４実施形態に係る注射器の先端部の断面図である。
【図８】第５実施形態に係る注射器の先端部の断面図である。
【図９】第６実施形態に係る注射器の先端部の断面図である。
【発明を実施するための形態】
【００３４】
以下、本発明に係る注射器について好適な複数の実施形態を挙げ、添付の図面を参照しながら説明する。なお、以下の説明における「ユーザ」は、患者に対して薬液（注射液）を投与する者を指すが、該ユーザは医師や看護師等に限定されるものではなく、患者自身も含まれる。以下の説明における「基端」は、注射器を操作するユーザに近接する側の端部を指し、「先端」は、ユーザから離間する側の端部を指す。第２〜第６実施形態において、第１実施形態と同一又は同様な要素には同一の参照符号を付し、詳細な説明を省略する。
【００３５】
［第１実施形態］
図１において、本実施形態に係る注射器１０Ａは、製品提供状態で薬液Ｍが予め充填されたプレフィルドシリンジとして構成されている。注射器１０Ａは、中空状のバレル１２と、バレル１２内に充填された薬液Ｍと、バレル１２の先端部から先端方向に突出した穿刺針１４と、バレル１２内に挿入されたガスケット１６と、ガスケット１６に連結された押し子１８と、バレル１２に取り付けられた保護装置２０とを備える。
【００３６】
バレル１２は、略円筒形状のバレル胴部２２を有するとともに基端に基端開口部を有する中空体である。バレル胴部２２の基端外周部には、フランジ２４が径方向外方に向かって突出形成されている。バレル胴部２２の先端部には針保持部２６が設けられている。針保持部２６は、バレル胴部２２に対して縮径して先端方向に延出し、穿刺針１４の基端部を保持している。フランジ２４及び針保持部２６は、バレル胴部２２に一体的に形成されている。
【００３７】
バレル１２内には、基端開口部を介してガスケット１６が挿入されている。ガスケット１６によってバレル１２の基端側が液密に封止され、薬液Ｍがバレル１２内に封入されている。ガスケット１６は、その外周部がバレル１２の内周面に液密に接するとともに、バレル１２内に摺動可能に配置されている。
【００３８】
ガスケット１６には、押し子１８の先端部が連結されている。ユーザが押し子１８を押圧することにより、ガスケット１６がバレル１２内を先端方向に摺動する。なお、押し子１８は、穿刺針１４を患者に穿刺し、薬液Ｍを患者に投与するときにガスケット１６に連結されてもよい。
【００３９】
穿刺針１４は、流体通路であるルーメンが形成された中空体であり、その先端には鋭利な針先１５が形成されている。穿刺針１４は、針保持部２６から先端方向に突出している。穿刺針１４のルーメンは、穿刺針１４の基端開口を介してバレル１２の中空部（液室）と連通している。
【００４０】
穿刺針１４は、針保持部２６の中心部に固着・保持されている。バレル１２の中空内部に収容された薬液Ｍは、穿刺針１４のルーメンの先端から吐出されて患者に投与される。
【００４１】
保護装置２０は、患者への穿刺針１４の穿刺を行う前、及び行った後に穿刺針１４を覆うことで、患者への薬液Ｍの投与時以外の不用意な穿刺を防止するためのものである。保護装置２０は、少なくとも、バレル１２に対して軸方向に相対変位可能な中空筒状のカバー部材２８を備える。
【００４２】
カバー部材２８は、図１に示す使用前の初期状態で、先端が穿刺針１４の針先１５よりも先端側に位置しており、針先１５を覆っている。カバー部材２８は、穿刺対象である患者への穿刺針１４の穿刺時にバレル１２に対して基端方向に相対変位してカバー部材２８の先端開口２９から穿刺針１４を先端方向に突出させる（図４参照）。カバー部材２８は、穿刺後にはバレル１２に対して先端方向に相対変位して穿刺針１４の針先１５を再び覆う。なお、初期状態で、穿刺針１４の針先１５はカバー部材２８の先端開口２９から先端方向に突出していてもよい。
【００４３】
カバー部材２８の構成材料は特に限定されないが、例えば、ポリプロピレン、ポリカーボネート、ポリアミド、ポリサルホン、ポリアリレート、ＡＢＳ、高密度ポリエチレン等の樹脂材料が挙げられる。
【００４４】
このように作用するカバー部材２８を備えた保護装置２０の構成は、特定の構成に限られず、種々の形態を採り得る。従って、保護装置２０は、例えば、以下に説明するように構成されてもよく、あるいは、他の形態に構成されてもよい。
【００４５】
保護装置２０は、針保持部２６の外周に回転可能に装着された内側部材と、内側部材に対して相対的に軸方向に移動可能なカバー部材２８と、カバー部材２８を先端方向に付勢するバネ部材（付勢部材）とを備えてよい。この場合、内側部材の外周部には径方向外方に突出したカム突起が形成される。カバー部材２８は、先端から基端にかけて延在する貫通孔を形成する側壁を有する中空体からなり、貫通孔内に内側部材が収容される。カバー部材２８の側壁には案内路が形成され、案内路内に内側部材のカム突起が移動可能に配置される。バネ部材は、カバー部材２８の貫通孔内に収容されており、内側部材に対してカバー部材２８を先端方向に付勢する。
【００４６】
この場合、上記案内路は、カバー部材２８が、患者への穿刺針１４の穿刺操作に伴って初期位置からバレル１２に対して基端方向に相対変位して後退位置へと案内され、穿刺針１４の抜去操作に伴って後退位置からバレル１２に対して先端方向に相対変位してロック位置へと案内されるように構成されてよい。この場合、カバー部材２８は、初期位置で穿刺針１４の針先１５を覆う。後退位置で穿刺針１４を先端開口２９から突出させ、ロック位置で穿刺針１４の針先１５を覆う。なお、カバー部材２８が初期位置から後退位置へと移動する際、バネ部材は軸方向に圧縮される。カバー部材２８は、穿刺針１４の抜去時にバネ部材の弾性付勢力によって後退位置からロック位置へと移動させられる。なお、カバー部材２８が初期位置に位置しているとき、針先１５はカバー部材２８の先端開口２９から露出（突出）していてもよい。
【００４７】
また、この場合、カバー部材２８が初期位置から後退位置を経由してロック位置まで移動する間に、内側部材は、カム突起が案内路内を移動することにより、カバー部材２８に対して相対的に回転する。また、内側部材は、カバー部材２８がロック位置に移動したとき、カバー部材２８の内側部材に対する基端方向への相対変位を規制する。
【００４８】
注射器１０Ａの使用前においては、エラストマー等の柔軟な樹脂材料により構成された図示しないキャップが穿刺針１４を覆っている。キャップは、針先１５（穿刺針１４の先端開口）を封止するように穿刺針１４を覆って、カバー部材２８内に挿入されている。注射器１０Ａの使用時には、キャップは、ユーザにより先端部が摘まれて先端方向に引き抜かれることで取り外される。
【００４９】
図２に示すように、カバー部材２８の先端部には、カバー部材２８が穿刺対象である患者の皮膚Ｓ（図３参照）に対して斜めに当接したときに皮膚Ｓに対する滑りを抑制する滑り抑制部３０が設けられている。滑り抑制部３０は、周方向に延在している。
【００５０】
本実施形態において、滑り抑制部３０は、カバー部材２８から突出した突起構造３２からなる。突起構造３２は、カバー部材２８の外周面から径方向外側に突出するとともにカバー部材２８の周方向に一周する円環状に形成されている。突起構造３２は、カバー部材２８に一体的に形成されている。突起構造３２は、カバー部材２８の軸方向に略垂直な先端面３３を有する。なお、突起構造３２の先端部は、基端方向に向かうに従って外径が増大するテーパ外面であってもよい。あるいは、突起構造３２の先端部には、基端方向に凹むＶ字状の溝が設けられてもよい。
【００５１】
カバー部材２８は、突起構造３２よりも先端側に、先端方向に向かう従って外径が減少する湾曲面３５を持つ先端環状当接部３４を有する。先端環状当接部３４は、先端開口２９を囲むとともに、突起構造３２に対して先端方向に突出するように形成されている。突起構造３２の外径は、先端環状当接部３４の最大外径よりも大きい。先端環状当接部３４からの突起構造３２の径方向の突出高さは、例えば、０．３〜５ｍｍであり、好ましくは、０．５〜２ｍｍである。突起構造３２の上記突出高さは、先端環状当接部３４の外径と突起構造３２の外径との差の２分の１である。
【００５２】
次に、上記のように構成された注射器１０Ａの作用及び効果を説明する。
【００５３】
患者に対して薬液Ｍを投与するときには、ユーザ（患者本人であってもよい）は、まず、ガスケット１６に対して押し子１８を連結し、図１に示す状態とする。なお、注射器１０Ａは、図１に示すように、押し子１８が予めガスケット１６に連結された状態で、ユーザに提供されてもよい。
【００５４】
次に、ユーザは、キャップ（不図示）を把持して引っ張ることにより、カバー部材２８からキャップを引き抜く。この時点では、上述したバネ部材の弾性付勢力によってカバー部材２８が初期位置（穿刺前位置）に付勢されており、穿刺針１４が先端の針先１５までカバー部材２８に囲繞された状態が保たれている。このため、穿刺針１４がユーザ等に不用意に穿刺されることが防止される。
【００５５】
次に、ユーザは、患者の穿刺箇所（腕等の皮膚Ｓ）にカバー部材２８の先端部を押し付けて、カバー部材２８の先端部を位置決めする。ユーザは、好みや状況等に応じて穿刺針１４を皮膚Ｓに対して斜めに穿刺したい場合がある。この場合、図３のように、カバー部材２８は、その軸方向が皮膚Ｓに対して斜めになる状態で皮膚Ｓと当接する。すなわち、カバー部材２８は、円環状の先端面が皮膚Ｓに当接するのではなく、先端部の周方向の一部のみが皮膚Ｓに当接する。
【００５６】
この場合、カバー部材２８の先端部に設けられた突起構造３２が皮膚Ｓに食い込んでいるため、カバー部材２８が皮膚Ｓに対して滑ることが抑制される。従って、カバー部材２８を位置決めした位置に容易に保持することができる。
【００５７】
次に、カバー部材２８の先端部を皮膚Ｓに押し付けた状態で、ユーザがバレル１２を先端方向に押し込むと、カバー部材２８は、バネ部材の弾性付勢力に抗して、バレル１２に対して基端方向に相対変位する。このような相対変位に伴い、図４のように、穿刺針１４は、カバー部材２８の先端開口２９から露出されるとともに、患者に穿刺された状態となる。
【００５８】
この場合においても、カバー部材２８の先端部に設けられた突起構造３２が皮膚Ｓに食い込むため、カバー部材２８が皮膚Ｓに対して滑ることが抑制される。従って、穿刺箇所において穿刺針１４の軸方向と垂直な方向に余計な力がかかることがない。よって、穿刺時において患者に与える痛みや違和感が増大することを防止すことができる。
【００５９】
次に、ユーザは、穿刺針１４が患者に穿刺された状態で、図１に示す押し子１８を先端方向に押圧する。これによりバレル１２内に充填されている薬液Ｍが穿刺針１４のルーメンを経由して穿刺針１４から吐出される。その結果、患者に対する薬液Ｍの投与がなされる。
【００６０】
薬液Ｍの投与後、穿刺針１４を患者から抜去するためにユーザが注射器１０Ａごとカバー部材２８を患者から引き離すと、カバー部材２８は、バネ部材の弾性付勢力によってバレル１２に対して先端方向に相対変位して、穿刺針１４の針先１５を覆う。これにより、患者への薬液Ｍの投与後においても、不用意な穿刺を回避することができる。
【００６１】
以上説明したように、本実施形態に係る注射器１０Ａによれば、カバー部材２８の先端部に滑り抑制部３０が設けられているため、穿刺対象に対してカバー部材２８を斜めに当接させた場合でも、カバー部材２８が穿刺対象に対して滑ることを効果的に抑制することができる。従って、狙った部位に正確に穿刺針１４を穿刺することができる。
【００６２】
また、本実施形態では、滑り抑制部３０は、環状に形成されているため、穿刺対象に対するカバー部材２８の周方向位置に関わらず、滑り抑制効果を発揮することができる。
【００６３】
しかも、本実施形態では、滑り抑制部３０は、カバー部材２８から突出した突起構造３２を有するため、穿刺対象との接触時に突起構造３２が穿刺対象に食い込むことにより、簡易構成で滑り抑制機能が得られる。
【００６４】
特に、突起構造３２は、カバー部材２８の外周面から突出しているため、滑り抑制機能を一層効果的に発揮することができる。
【００６５】
本実施形態では、カバー部材２８は、突起構造３２よりも先端側に、先端方向に向かう従って外径が減少する湾曲面を有するため、穿刺対象に対する接触時の刺激を抑制しつつ滑りを抑制することができる。これにより、穿刺時において患者に与える痛みや違和感が増大することを防止することができる。
【００６６】
［第２実施形態］
図５に示す第２実施形態に係る注射器１０Ｂにおいて、カバー部材２８の先端部には、カバー部材２８が穿刺対象に対して斜めに当接したときに穿刺対象に対する滑りを抑制する滑り抑制部３０として、突起構造４０が一体的に設けられている。突起構造４０は、カバー部材２８の外周面から径方向外側に突出するとともにカバー部材２８の周方向に一周する円環状に形成されている。
【００６７】
突起構造４０は、軸方向に並ぶ複数（図示例では、３つ）の突起を有する。具体的に、突起構造４０は、環状の第１突起４２と、第１突起４２よりも基端側に設けられた環状の第２突起４４と、第２突起４４よりも基端側に設けられた環状の第３突起４６とを有する。
【００６８】
複数の突起において隣り合う突起は、先端側の突起よりも基端側の突起の方が径方向外側に突出している。従って、注射器１０Ｂでは、第２突起４４の外径は、第１突起４２の外径よりも大きい。第３突起４６の外径は、第２突起４４の外径よりも大きい。
【００６９】
第１突起４２、第２突起４４及び第３突起４６は、それぞれ、カバー部材２８の軸方向に略垂直な先端面４２ａ、４４ａ、４６ａを有する。なお、第１突起４２、第２突起４４及び第３突起４６の先端部は、それぞれ、基端方向に向かうに従って外径が増大するテーパ外面であってもよい。あるいは、第１突起４２、第２突起４４及び第３突起４６の先端部には、それぞれ、基端方向に凹むＶ字状の溝が設けられてもよい。
【００７０】
注射器１０Ｂのその他の部分の構成は、第１実施形態に係る注射器１０Ａと同様に構成されている。
【００７１】
上記のように構成された突起構造４０を備えた注射器１０Ｂによっても、上述した第１実施形態に係る注射器１０Ａと同様に、穿刺対象である患者の皮膚Ｓに対してカバー部材２８を斜めに当接させた際に、カバー部材２８が皮膚Ｓに対して滑ることを効果的に抑制することができる。
【００７２】
また、この注射器１０Ｂによれば、突起構造４０は、軸方向に並ぶ複数の突起（第１突起４２、第２突起４４及び第３突起４６）を有するため、一層良好な滑り抑制機能が得られる。さらに、複数の突起において隣り合う突起は、先端側の突起よりも基端側の突起の方が径方向外側に突出しているため、隣り合う突起における基端側の突起についても皮膚Ｓに食い込ませ、滑り抑制機能を確実に発揮することができる。
【００７３】
なお、第２実施形態のうち、第１実施形態と共通する部分については、第１実施形態と同一又は同様の作用及び効果が得られる。
【００７４】
［第３実施形態］
図６に示す第３実施形態に係る注射器１０Ｃは、第１実施形態に係る注射器１０Ａにおいて、突起構造３２に代えて、弾性材料（エラストマー）により構成された弾性部材５２ａが設けられたものである。すなわち、カバー部材２８ａの先端部には、カバー部材２８ａが穿刺対象である皮膚Ｓに対して斜めに当接したときに皮膚Ｓに対する滑りを抑制する滑り抑制部３０として、弾性部材５２ａが設けられている。
【００７５】
具体的に、カバー部材２８ａは、カバー部材本体４８と、カバー部材本体４８の先端部に取り付けられた弾性部材５２ａとを有する。このカバー部材本体４８は、第１実施形態におけるカバー部材２８から突起構造３２をなくしたものに相当する。
【００７６】
弾性部材５２ａを構成する弾性材料としては、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等が挙げられる。
【００７７】
弾性部材５２ａは、カバー部材本体４８の円形の先端面に沿って円環状に形成されている。弾性部材５２ａの基端面には凹部５５が設けられている。カバー部材２８ａの先端面には先端方向に突出する突起５７が設けられている。突起５７が凹部５５に嵌り込むことにより弾性部材５２ａがカバー部材本体４８に固定されている。なお、凹部５５及び突起５７は、それぞれ環状に設けられていてもよく、あるいは周方向に間隔を置いて複数設けられていてもよい。弾性部材５２ａの孔部５３は、カバー部材２８ａの先端開口２９と連通している。図６において、孔部５３の直径（弾性部材５２ａの内径）は、カバー部材本体４８の先端開口２９の直径よりも若干だけ大きい。孔部５３の直径は、カバー部材２８ａの先端開口２９の直径と同じか、先端開口２９の直径より小さくてもよい。
【００７８】
弾性部材５２ａと皮膚Ｓとの間の摩擦係数は、カバー部材本体４８と皮膚Ｓとの間の摩擦係数よりも大きい。従って、弾性部材５２ａは、カバー部材本体４８よりも皮膚Ｓに対して滑りにくい。
【００７９】
注射器１０Ｃのその他の部分の構成は、第１実施形態に係る注射器１０Ａと同様に構成されている。
【００８０】
上記のように構成された弾性部材５２ａを備えた注射器１０Ｃによれば、穿刺針１４の針先１５がカバー部材２８ａにより覆われた状態でカバー部材２８ａを皮膚Ｓに対して位置決めするために、カバー部材２８ａの先端部を皮膚Ｓに当接させると、注射器１０Ｃの最先端部に設けられた弾性部材５２ａが皮膚Ｓに当接する。従って、カバー部材２８ａを皮膚Ｓに対して斜めに当接させた場合でも、弾性部材５２ａにより、カバー部材２８ａが皮膚Ｓに対して滑ることが抑制される。従って、カバー部材２８ａを位置決めしたい位置に容易に保持することができる。
【００８１】
このように、注射器１０Ｃによっても、上述した第１実施形態に係る注射器１０Ａと同様に、穿刺対象である患者の皮膚Ｓに対してカバー部材２８ａを斜めに当接させた際に、カバー部材２８ａが皮膚Ｓに対して滑ることを効果的に抑制することができる。
【００８２】
特に、この注射器１０Ｃでは、滑り抑制部３０は、弾性材料により構成された弾性部材５２ａであるため、皮膚Ｓに対する接触時の刺激を抑制しつつ良好な滑り抑制機能が得られる。また、弾性部材５２ａは、カバー部材本体４８の先端面に固定されているため、カバー部材２８ａの先端部に弾性部材５２ａを簡単に設けることができる。
【００８３】
なお、第３実施形態のうち、第１実施形態と共通する部分については、第１実施形態と同一又は同様の作用及び効果が得られる。
【００８４】
［第４実施形態］
図７に示す第４実施形態に係る注射器１０Ｄのカバー部材２８ａは、カバー部材本体４８と、カバー部材本体４８の先端部に固定された弾性材料からなる弾性部材５２ｂとを有する。弾性部材５２ｂは、カバー部材２８ａが穿刺対象である皮膚Ｓに対して斜めに当接したときに皮膚Ｓに対する滑りを抑制する滑り抑制部３０として機能する。弾性部材５２ｂは、第３実施形態における弾性部材５２ａと同様の材料により構成され得る。
【００８５】
弾性部材５２ｂは、円環状に形成されている。弾性部材５２ｂは、カバー部材本体４８の先端部を外周面４８ａから先端面４８ｂに亘って覆っている。弾性部材５２ｂは、カバー部材２８ａの先端開口２９と連通する孔部５３を有する。弾性部材５２ｂの内周面には、径方向内側に突出する係合突起５６が設けられている。係合突起５６は、周方向に延在する環状の突起である。係合突起５６は、周方向に間隔を置いて設けられた複数の突起であってもよい。
【００８６】
カバー部材本体４８の先端部の外周面４８ａには、径方向内側に凹む係合溝５８が設けられている。係合溝５８は、周方向に延在する環状の溝である。係合突起５６が複数の突起からなる場合、係合溝５８は、周方向に間隔を置いて設けられた複数の溝であってもよい。係合突起５６と係合溝５８とが係合することにより、カバー部材本体４８の先端部に弾性部材５２ｂが固定されている。
【００８７】
弾性部材５２ｂは、カバー部材本体４８の先端部の外周面４８ａを囲む周壁部６０と、周壁部６０の先端から径方向内側に湾曲するとともに孔部５３を囲む先端湾曲部６２とを有する。周壁部６０の外径及び内径は、先端方向に向かって減少している。周壁部６０の外径及び内径は、軸方向に一定であってもよい。周壁部６０の内周面６０ａは、カバー部材本体４８の先端部の外周面４８ａと接触している。先端湾曲部６２の基端面６２ａは、カバー部材本体４８の先端部の先端面４８ｂと接触している。
【００８８】
注射器１０Ｄのその他の部分の構成は、第１実施形態に係る注射器１０Ａと同様に構成されている。
【００８９】
上記のように構成された弾性部材５２ｂを備えた注射器１０Ｄによっても、上述した注射器１０Ａ〜１０Ｃと同様に、穿刺対象である患者の皮膚Ｓに対してカバー部材２８ａを斜めに当接させた際に、カバー部材２８ａが穿刺対象に対して滑ることを効果的に抑制することができる。また、この注射器１０Ｄでは、滑り抑制部３０は、弾性材料により構成された弾性部材５２ｂであるため、皮膚Ｓに対する接触時の刺激を抑制しつつ良好な滑り抑制機能が得られる。
【００９０】
特に、この注射器１０Ｄでは、弾性部材５２ｂは、カバー部材本体４８の先端部を外周面４８ａから先端面４８ｂに亘って覆っているため、穿刺対象に対する穿刺針１４の穿刺角度に関わらず、穿刺対象に対する滑りを効果的に抑制することができる。
【００９１】
なお、第４実施形態のうち、第１実施形態と共通する部分については、第１実施形態と同一又は同様の作用及び効果が得られる。
【００９２】
［第５実施形態］
図８に示す第５実施形態に係る注射器１０Ｅのカバー部材２８ａは、カバー部材本体４８と、カバー部材本体４８の先端部に固定された弾性材料からなる弾性部材５２ｃとを有する。弾性部材５２ｃは、カバー部材２８ａが穿刺対象に対して斜めに当接したときに穿刺対象に対する滑りを抑制する滑り抑制部３０として機能する。弾性部材５２ｃは、第３実施形態における弾性部材５２ａと同様の材料により構成され得る。
【００９３】
弾性部材５２ｃは、円環状に形成されており、軸方向に貫通し且つカバー部材本体４８の内腔と連通する孔部６３を有する。穿刺針１４は、孔部６３を介してカバー部材２８ａの先端方向に突出可能である。弾性部材５２ｃは、カバー部材本体４８の先端内周部に設けられた凸部６４と係合する凹部６６を有し、カバー部材２８ａの先端部内側に嵌合している。
【００９４】
凹部６６は、弾性部材５２ｃの外周面から径方向内側に凹み且つ周方向に一周延在する環状に形成されている。凸部６４は、径方向内側に突出し且つ周方向に一周延在する環状に形成されている。凹部６６と凸部６４とが係合することにより、カバー部材本体４８の先端部に弾性部材５２ｃが固定されている。
【００９５】
上記のように構成された弾性部材５２ｃを備えた注射器１０Ｅによっても、上述した注射器１０Ａ〜１０Ｄと同様に、穿刺対象である患者の皮膚Ｓに対してカバー部材２８ａを斜めに当接させた際に、カバー部材２８ａが皮膚Ｓに対して滑ることを効果的に抑制することができる。また、この注射器１０Ｅでは、滑り抑制部３０は、弾性材料により構成された弾性部材５２ｃであるため、皮膚Ｓに対する接触時の刺激を抑制しつつ良好な滑り抑制機能が得られる。
【００９６】
特に、この注射器１０Ｅでは、弾性部材５２ｃは、カバー部材本体４８の先端内周部に設けられた凸部６４と係合する凹部６６を有し、カバー部材本体４８の先端部内側に嵌合しているため、組立工程において、弾性部材５２ｃをカバー部材本体４８に対して容易に組み付けることができる。
【００９７】
なお、第５実施形態のうち、第１実施形態と共通する部分については、第１実施形態と同一又は同様の作用及び効果が得られる。
【００９８】
［第６実施形態］
図９に示す第６実施形態に係る注射器１０Ｆのカバー部材２８ａは、カバー部材本体４８と、カバー部材本体４８の先端部に固定された弾性材料からなる弾性部材５２ｄとを有する。弾性部材５２ｄは、カバー部材２８ａが穿刺対象である皮膚Ｓに対して斜めに当接したときに皮膚Ｓに対する滑りを抑制する滑り抑制部３０として機能する。弾性部材５２ｄは、第３実施形態における弾性部材５２ａと同様の材料により構成され得る。
【００９９】
弾性部材５２ｄはカバー部材本体４８の先端部を囲む円環状に形成されている。弾性部材５２ｄは、カバー部材本体４８の先端部に設けられた溝部６８に嵌合している。弾性部材５２ｄの内周部が溝部６８に嵌合することにより、カバー部材本体４８の先端部に弾性部材５２ｄが固定されている。弾性部材５２ｄは、カバー部材本体４８の先端部の外周面４８ａから径方向外側に突出している。溝部６８は、カバー部材本体４８の先端部の外周面４８ａから径方向内側に凹み且つ周方向に一周延在する環状に形成されている。
【０１００】
上記のように構成された注射器１０Ｆによっても、上述した注射器１０Ａ〜１０Ｅと同様に、穿刺対象である患者の皮膚Ｓに対してカバー部材２８ａを斜めに当接させた際に、カバー部材２８ａが穿刺対象に対して滑ることを効果的に抑制することができる。また、この注射器１０Ｆでは、滑り抑制部３０は、弾性材料により構成された弾性部材５２ｄであるため、皮膚Ｓに対する接触時の刺激を抑制しつつ良好な滑り抑制機能が得られる。
【０１０１】
特に、この注射器１０Ｆでは、弾性部材５２ｄは、カバー部材本体４８の先端部に設けられた溝部６８に嵌合し、カバー部材本体４８の先端部の外周面４８ａから突出しているため、弾性部材５２ａの材料使用量を抑制することができる。また、組立工程において、弾性部材５２ｄをカバー部材本体４８に対して容易に組み付けることができる。
【０１０２】
なお、第６実施形態のうち、第１実施形態と共通する部分については、第１実施形態と同一又は同様の作用及び効果が得られる。
【０１０３】
上述した注射器１０Ｃ〜１０Ｆにおいて、弾性部材５２ａ〜５２ｄの外周部に突起構造３２（図２）又は突起構造４０（図５）が一体的に設けられてもよい。この場合、突起構造３２、４０は弾性材料からなる。
【０１０４】
本発明は上記実施形態に限定されるものではなく、本発明の要旨を逸脱しない範囲において、種々の改変が可能である。
【図１】
2017170502.tif 000003
【図２】
2017170502.tif 000004
【図３】
2017170502.tif 000005
【図４】
2017170502.tif 000006
【図５】
2017170502.tif 000007
【図６】
2017170502.tif 000008
【図７】
2017170502.tif 000009
【図８】
2017170502.tif 000010
【図９】
2017170502.tif 000011
【国際調査報告】
2017170502.tif 000012
2017170502.tif 000013
2017170502.tif 000014
2017170502.tif 000015